(57)【要約】【課題】透明性封止体で防食される構造部材の視認性を確保しながら、構造部材の長期的な防食性能を実現することのできる封止構造及び封止工法を提供する。【解決手段】本発明を適用した封止構造１は、土木構造物又は建築構造物に用いられるものであり、構造部材７を取り囲むように設けられる透明性封止体２と、透明性封止体２に塗布される透明性樹脂塗料３とを備える。透明性封止体２は、構造部材７を取り囲むようにシリコーン樹脂２０を硬化させることで設けられて、硬化させたシリコーン樹脂２０の外面２１が透明性樹脂塗料３に被覆された状態で、構造部材７の変位Ｈに追従してシリコーン樹脂２０が変形できるものとなる。【選択図】図７
2018009296.tif 000002
【特許請求の範囲】
【請求項１】
土木構造物又は建築構造物に用いられる封止構造であって、
構造部材を取り囲むように設けられる透明性封止体と、前記透明性封止体に塗布される透明性樹脂塗料とを備え、
前記透明性封止体は、前記構造部材を取り囲むようにシリコーン樹脂を硬化させることで設けられて、硬化させた前記シリコーン樹脂の外面が前記透明性樹脂塗料に被覆された状態で、前記構造部材の変位に追従して前記シリコーン樹脂が変形できるものとなること
を特徴とする封止構造。
【請求項２】
前記透明性封止体は、前記構造部材の周囲を取り囲むように組み立てられた型枠の内部に前記シリコーン樹脂が充填されて、前記型枠の内部に充填された前記シリコーン樹脂を硬化させてから前記型枠が撤去された状態で設けられること
を特徴とする請求項１記載の封止構造。
【請求項３】
前記透明性封止体は、前記構造部材の周囲を取り囲むように組み立てられる型枠の内面に型枠剥離テープ及び塗装剥離テープが貼付されて、前記塗装剥離テープに前記透明性樹脂塗料が塗布された状態で前記型枠の内部に前記シリコーン樹脂が充填されることで、硬化させた前記シリコーン樹脂の外面に前記透明性樹脂塗料が塗布されるものとなること
を特徴とする請求項１又は２記載の封止構造。
【請求項４】
土木構造物又は建築構造物に用いられる封止工法であって、
型枠を組み立てるとともにシリコーン樹脂を充填する充填工程と、前記型枠を撤去して透明性封止体が設けられる撤去工程とを備え、
前記充填工程では、構造部材の周囲を取り囲むように組み立てられた前記型枠の内面に透明性樹脂塗料が塗布された状態で、前記型枠の内部に前記シリコーン樹脂を充填して、
前記撤去工程では、前記型枠の内部に充填された前記シリコーン樹脂を硬化させてから前記型枠を撤去することで、硬化させた前記シリコーン樹脂の外面に前記透明性樹脂塗料が塗布された状態で、前記構造部材を取り囲むように前記透明性封止体が設けられること
を特徴とする封止工法。
【請求項５】
前記充填工程では、前記型枠の内面に型枠剥離テープ及び塗装剥離テープが貼付されるとともに、前記型枠の内面の前記塗装剥離テープに前記透明性樹脂塗料が塗布されて、
前記撤去工程では、前記型枠剥離テープを前記塗装剥離テープから剥離しながら前記型枠を撤去して、前記シリコーン樹脂の外面に塗布された状態となった前記透明性樹脂塗料から前記塗装剥離テープを剥離することで、前記透明性封止体に前記透明性樹脂塗料が塗布されること
を特徴とする請求項４記載の封止工法。
【発明の詳細な説明】
【技術分野】
【０００１】
本発明は、土木構造物又は建築構造物に用いられる封止構造及び封止工法に関する。
【背景技術】
【０００２】
従来から、重防食塗装（Ｒｃ−Ｉ塗装系）による塗替え塗装に代替する既設鋼製支承の
防食対策工として用いられて、鋼製支承を特殊樹脂で封入して腐食因子を遮断するものとして、非特許文献１に開示される支承防食工法が提案されている。
【０００３】
非特許文献１に開示される支承防食工法は、特に、「塗れないものは包む」という発想から、鋼製支承を特殊樹脂で封入するものである。このとき、非特許文献１に開示される支承防食工法は、特殊樹脂による鋼製支承の長期防食が可能となるだけでなく、封入箇所の長期的な透明性を維持して、点検調査時における目視確認ができるとされている。
【先行技術文献】
【非特許文献】
【０００４】
【非特許文献１】支承防食工法  透ける沓  ＮＥＴＩＳ登録番号ＴＨ−１２００１１−Ａ  ＜http://www.netis.mlit.go.jp/NetisRev/Search/NtDetail1.asp?REG#NO=TH-120011&TabType=&nt=＞
【発明の概要】
【発明が解決しようとする課題】
【０００５】
ここで、非特許文献１に開示される支承防食工法は、鋼製支承の周囲に耐候性に優れた透明型枠が設置されるとともに、透明型枠の内部に特殊樹脂が充填されて、特殊樹脂及び透明型枠の透明性を利用することで、封入箇所の目視確認ができるとされている。そして、非特許文献１に開示される支承防食工法は、柔らかい特殊樹脂に鋼製支承が封入されるため、鋼製支承の移動、回転等の支承機能を阻害しないものとされている。
【０００６】
しかし、非特許文献１に開示される支承防食工法は、特殊樹脂の周囲がアクリル板等の透明型枠に取り囲まれた状態で長期的に設置されるため、現実の鋼製支承では、鋼製支承の移動、回転等がアクリル板等の透明型枠により阻害されるという問題点があった。
【０００７】
また、非特許文献１に開示される支承防食工法は、特殊樹脂とともに透明型枠が長期的に設置されるため、精度の高い透明型枠の成形作業が必要となる。このとき、非特許文献１に開示される支承防食工法は、既設鋼製支承が設けられた橋梁の狭隘部では、透明型枠の成形作業に困難が伴うため、防食工法の施工コストが増大するという問題点があった。
【０００８】
そこで、本発明は、上述した問題点に鑑みて案出されたものであって、その目的とするところは、透明性封止体で防食される構造部材の視認性を確保しながら、構造部材の長期的な防食性能を実現することのできる封止構造及び封止工法を提供することにある。
【課題を解決するための手段】
【０００９】
第１発明に係る封止構造は、土木構造物又は建築構造物に用いられる封止構造であって、構造部材を取り囲むように設けられる透明性封止体と、前記透明性封止体に塗布される透明性樹脂塗料とを備え、前記透明性封止体は、前記構造部材を取り囲むようにシリコーン樹脂を硬化させることで設けられて、硬化させた前記シリコーン樹脂の外面が前記透明性樹脂塗料に被覆された状態で、前記構造部材の変位に追従して前記シリコーン樹脂が変形できるものとなることを特徴とする。
【００１０】
第２発明に係る封止構造は、第１発明において、前記透明性封止体は、前記構造部材の周囲を取り囲むように組み立てられた型枠の内部に前記シリコーン樹脂が充填されて、前記型枠の内部に充填された前記シリコーン樹脂を硬化させてから前記型枠が撤去された状態で設けられることを特徴とする。
【００１１】
第３発明に係る封止構造は、第１発明又は第２発明において、前記透明性封止体は、前記構造部材の周囲を取り囲むように組み立てられる型枠の内面に型枠剥離テープ及び塗装剥離テープが貼付されて、前記塗装剥離テープに前記透明性樹脂塗料が塗布された状態で前記型枠の内部に前記シリコーン樹脂が充填されることで、硬化させた前記シリコーン樹脂の外面に前記透明性樹脂塗料が塗布されるものとなることを特徴とする。
【００１２】
第４発明に係る封止工法は、土木構造物又は建築構造物に用いられる封止工法であって、型枠を組み立てるとともにシリコーン樹脂を充填する充填工程と、前記型枠を撤去して透明性封止体が設けられる撤去工程とを備え、前記充填工程では、構造部材の周囲を取り囲むように組み立てられた前記型枠の内面に透明性樹脂塗料が塗布された状態で、前記型枠の内部に前記シリコーン樹脂を充填して、前記撤去工程では、前記型枠の内部に充填された前記シリコーン樹脂を硬化させてから前記型枠を撤去することで、硬化させた前記シリコーン樹脂の外面に前記透明性樹脂塗料が塗布された状態で、前記構造部材を取り囲むように前記透明性封止体が設けられることを特徴とする。
【００１３】
第５発明に係る封止工法は、第４発明において、前記充填工程では、前記型枠の内面に型枠剥離テープ及び塗装剥離テープが貼付されるとともに、前記型枠の内面の前記塗装剥離テープに前記透明性樹脂塗料が塗布されて、前記撤去工程では、前記型枠剥離テープを前記塗装剥離テープから剥離しながら前記型枠を撤去して、前記シリコーン樹脂の外面に塗布された状態となった前記透明性樹脂塗料から前記塗装剥離テープを剥離することで、前記透明性封止体に前記透明性樹脂塗料が塗布されることを特徴とする。
【発明の効果】
【００１４】
第１発明〜第３発明によれば、透明性を有する透明性樹脂塗料が、長期的な透明性を有するシリコーン樹脂の外面に塗布された状態で、構造部材を取り囲むように透明性封止体が設けられるため、雨水等による腐食状況等を長期的に目視確認できるものとして、透明性封止体で防食される構造部材の長期的な視認性を確保することが可能となる。
【００１５】
第１発明〜第３発明によれば、シリコーン樹脂が所定の伸び率を有することで、供用時における構造部材の変位に追従してシリコーン樹脂が変形するため、透明性封止体で構造部材が取り囲まれた状態を長期的に維持して、長期的な防食効果の実現が可能となる。
【００１６】
第１発明〜第３発明によれば、粘着性の高いシリコーン樹脂の外面が透明性樹脂塗料に被覆された状態となるため、シリコーン樹脂の粘着性の高い外面に、埃、ゴミ及び虫等が付着することを防止して、構造部材の長期的な視認性を確保することが可能となる。
【００１７】
特に、第２発明、第４発明によれば、構造部材の周囲の型枠が撤去された状態で、硬化させたシリコーン樹脂により透明性封止体が設けられるため、構造部材を取り囲んだシリコーン樹脂の変形が型枠により阻害されないものとして、シリコーン樹脂に柔軟な変形をさせることで、長期的かつ確実な防食効果を実現することが可能となる。
【００１８】
特に、第２発明、第４発明によれば、構造部材の周囲の型枠が撤去されることで、精度の高い型枠の成形作業が要求されないことから、支承が設けられた橋梁の狭隘部等における型枠の成形作業を容易にして施工コストを抑制することが可能となる。
【００１９】
特に、第３発明、第５発明によれば、型枠の内面に型枠剥離テープを貼付させたままの状態で、型枠剥離テープを塗装剥離テープから剥離しながら型枠を撤去することで、型枠剥離テープと塗装剥離テープとの接着が必要以上に強固でなく、型枠剥離テープを塗装剥離テープから容易に剥離できるため、型枠の撤去作業を容易に実施することが可能となる。
【００２０】
特に、第３発明、第５発明によれば、シリコーン樹脂の外面の粘着性が高いのに対して、透明性樹脂塗料の粘着性は高くないため、塗装剥離テープと透明性樹脂塗料との接着が必要以上に強固でないことから、塗装剥離テープを透明性樹脂塗料から容易に剥離できるものとして、シリコーン樹脂の被覆作業を容易に実施することが可能となる。
【００２１】
特に、第４発明によれば、型枠を組み立てるとともにシリコーン樹脂を充填する充填工程と、型枠を撤去して透明性封止体が設けられる撤去工程とを経ることで、透明性樹脂塗料で被覆された透明性封止体が構造部材を取り囲んで設けられるため、構造部材の長期的な視認性を確保しながら、長期的かつ確実な防食性能を実現することが可能となる。
【００２２】
特に、第４発明によれば、型枠の内部にシリコーン樹脂を充填する前の段階で、型枠の内面の略全面に透明性樹脂塗料が塗布されるため、表面張力の低いシリコーン樹脂が型枠の内部に充填されるにもかかわらず、型枠の隙間が透明性樹脂塗料で塞がれて、型枠の内部からのシリコーン樹脂の漏出を防止することが可能となる。
【００２３】
特に、第４発明によれば、型枠の内面の略全面に透明性樹脂塗料が塗布された状態でシリコーン樹脂を硬化させることで、シリコーン樹脂の外面に透明性樹脂塗料が一体化して、硬化させたシリコーン樹脂の外面に透明性樹脂塗料が略均一に塗布されるため、高品質な被覆状態を実現することが可能となる。
【図面の簡単な説明】
【００２４】
【図１】本発明を適用した封止構造が用いられる橋梁の支承を示す斜視図である。
【図２】本発明を適用した封止構造で変位する鉄柱の基端部を示す正面図である。
【図３】本発明を適用した封止構造で変位する支承を示す側面図である。
【図４】（ａ）は、本発明を適用した封止構造で型枠が撤去される前の状態を示す正面図であり、（ｂ）は、型枠が撤去された後の状態を示す正面図である。
【図５】（ａ）は、本発明を適用した封止構造で型枠が撤去される前の状態を示す拡大正面図であり、（ｂ）は、型枠が撤去された後の状態を示す拡大正面図である。
【図６】本発明を適用した封止構造で組み立てられる型枠を示す斜視図である。
【図７】（ａ）は、本発明を適用した封止構造で変位する前の支承を示す側面図であり、（ｂ）は、変位した後の支承に追従する透明性封止体を示す側面図である。
【図８】（ａ）は、本発明を適用した封止工法の充填工程で型枠を組み立てた状態を示す正面図であり、（ｂ）は、その側面図である。
【図９】本発明を適用した封止工法の充填工程で型枠の内面に透明性樹脂塗料を塗布した後に硬化前のシリコーン樹脂を充填する過程を示す拡大正面図である。
【図１０】本発明を適用した封止工法の撤去工程で型枠を撤去した後に透明性樹脂塗料から塗装剥離テープを剥離する過程を示す拡大正面図である。
【図１１】（ａ）は、本発明を適用した封止工法で透明性封止体が設けられた状態を示す正面図であり、（ｂ）は、その側面図である。
【発明を実施するための形態】
【００２５】
以下、本発明を適用した封止構造１及び封止工法を実施するための形態について、図面を参照しながら詳細に説明する。
【００２６】
本発明を適用した封止構造１は、土木構造物又は建築構造物に用いられるものであって、例えば、図１に示すように、橋梁８の支承７１等を防食するものとして設けられる。
【００２７】
本発明を適用した封止構造１は、土木構造物又は建築構造物における構造部材７を対象として、橋梁８の支承７１等の構造部材７が雨水等により錆び、腐食することを防止するために、構造部材７の周囲を取り囲むように透明性封止体２が設けられるものとなる。
【００２８】
本発明を適用した封止構造１は、主に、鋼鉄製等の金属製の構造部材７を防食の対象とする。このとき、本発明を適用した封止構造１は、橋梁８の支承７１となる構造部材７を取り囲むように透明性封止体２が設けられるほか、例えば、橋桁７２等となる構造部材７を取り囲むように透明性封止体２が設けられてもよい。
【００２９】
本発明を適用した封止構造１は、必要に応じて、図２に示すように、鉄柱７３等の構造部材７が防食の対象となってもよい。このとき、本発明を適用した封止構造１は、例えば、地震又は風等により変位Ｈが生じる鉄柱７３の基端部７３ａで、鉄柱７３の基礎となるコンクリート７０との境界に、鉄柱７３を取り囲むように透明性封止体２が設けられる。
【００３０】
本発明を適用した封止構造１は、図３に示すように、橋梁８の支承７１等の構造部材７を取り囲むように設けられる透明性封止体２と、透明性封止体２に塗布される透明性樹脂塗料３とを備える。本発明を適用した封止構造１は、支承７１を防食の対象とする場合には、Ｈ形鋼等の橋桁７２とコンクリート７０等の橋脚との間隙に支承７１が設置されて、橋梁８の供用時に橋桁７２が移動することで、支承７１に変位Ｈが生じるものとなる。
【００３１】
透明性封止体２は、構造部材７を取り囲むようにシリコーン樹脂２０を硬化させることで設けられる。透明性封止体２は、所定の厚みとなるシリコーン樹脂２０で構造部材７の周囲を取り囲むことで、構造部材７が雨水等の腐食環境にさらされることを防止する。
【００３２】
シリコーン樹脂２０は、ケイ素を含む有機化合物であって物理的性状が樹脂状のものが用いられる。シリコーン樹脂２０は、透明又は半透明の透明性を有するものが用いられて、構造部材７の周囲を取り囲んだ状態で、構造部材７の腐食状況等を目視確認できるものとなる。ここで、シリコーン樹脂２０は、硬化させた後の伸び率が２００％〜１５００％程度のものが用いられて、例えば、４００％以上の伸び率となるものが用いられる。
【００３３】
透明性封止体２は、図４（ａ）に示すように、構造部材７の周囲を取り囲むように組み立てられた型枠４の内部４０にシリコーン樹脂２０が充填されることで、シリコーン樹脂２０で構造部材７の周囲を取り囲んだものとなる。そして、透明性封止体２は、特に、図４（ｂ）に示すように、型枠４の内部４０に充填されたシリコーン樹脂２０を硬化させてから、構造部材７の周囲の型枠４が撤去された状態で設けられるものとなる。
【００３４】
透明性封止体２は、図５（ａ）に示すように、構造部材７の周囲を取り囲んだ型枠４の内面４１に型枠剥離テープ５及び塗装剥離テープ６が貼付されて、塗装剥離テープ６に透明性樹脂塗料３が塗布された状態で、型枠４の内部４０にシリコーン樹脂２０が充填されるものとなる。そして、透明性封止体２は、塗装剥離テープ６に塗布された透明性樹脂塗料３がシリコーン樹脂２０の外面２１に一体化して、図５（ｂ）に示すように、硬化させたシリコーン樹脂２０の外面２１に透明性樹脂塗料３が塗布されるものとなる。
【００３５】
透明性樹脂塗料３は、例えば、サンシャインウェザーメーター試験による３０００時間後の光沢保持率が８０％以上の耐候性を有して、ＪＩＳ  Ｋ  ５６５８で規定される建築用耐候性上塗り塗料等が用いられる。透明性樹脂塗料３は、主に、伸縮性を有するフッ素樹脂塗料が用いられて、硬化させたシリコーン樹脂２０の外面２１が透明性樹脂塗料３に被覆された状態となる。そして、透明性樹脂塗料３は、透明又は半透明の透明性を有するものが用いられて、透明性を有するシリコーン樹脂２０の外面２１に塗布された状態で、構造部材７の腐食状況等を目視確認できるものとなる。
【００３６】
型枠４は、図６に示すように、主に、型枠剥離テープ５が貼付される内面４１が略平滑面状に形成された木質ボードの化粧合板が用いられる。そして、型枠４は、木質ボードの化粧合板等が用いられることで、現場の施工環境に応じて、化粧合板等を容易に切断等できるものとなり、型枠４の成形作業を容易に実施できるものとなる。
【００３７】
型枠剥離テープ５は、ポリエチレン繊維等で織られた養生テープ等の片面テープが用いられて、型枠剥離テープ５の粘着面が型枠４の内面４１に貼付される。塗装剥離テープ６は、ポリプロピレン繊維等を材質とするＰＰテープ等の片面テープが用いられて、塗装剥離テープ６の粘着面が型枠剥離テープ５の非粘着面に貼付されることで、型枠剥離テープ５とともに型枠４の内面４１に貼付されるものとなる。
【００３８】
透明性封止体２は、構造部材７の周囲から型枠４が撤去されて、図７（ａ）に示すように、シリコーン樹脂２０の外面２１が伸縮性を有する透明性樹脂塗料３のみに被覆された状態となる。そして、透明性封止体２は、図７（ｂ）に示すように、シリコーン樹脂２０が所定の伸び率を有するとともに、透明性樹脂塗料３が伸縮性を有することで、構造部材７の変位Ｈに追従してシリコーン樹脂２０が変形できるものとなる。
【００３９】
本発明を適用した封止工法は、土木構造物又は建築構造物における構造部材７を対象に、既設又は新設の構造部材７の防食対策工として用いられる。本発明を適用した封止工法は、図８〜図１１に示すように、型枠４を組み立てるとともにシリコーン樹脂２０を充填する充填工程と、型枠４を撤去して透明性封止体２が設けられる撤去工程とを備える。
【００４０】
充填工程では、必要に応じて、最初に、橋桁７２、支承７１及びコンクリート７０等において、シリコーン樹脂２０が接する部分に、４種ケレン等により下地処理をしたうえで、プライマー等を塗布する。充填工程では、次に、型枠４の内面４１に型枠剥離テープ５及び塗装剥離テープ６が貼付された状態で、図８に示すように、構造部材７の周囲を取り囲むように成形された型枠４が組み立てられて、型枠４の内部４０に構造部材７が配置される。
【００４１】
このとき、充填工程では、図９（ａ）に示すように、型枠４の内面４１に型枠剥離テープ５及び塗装剥離テープ６が貼付された状態で、型枠４が組み立てられたものとなる。充填工程では、次に、図９（ｂ）に示すように、型枠４の内面４１の塗装剥離テープ６に透明性樹脂塗料３が塗布されて、型枠４の内面４１の略全面に透明性樹脂塗料３が塗布された状態となる。そして、充填工程では、図９（ｃ）に示すように、型枠４の内面４１に透明性樹脂塗料３が塗布された状態で、型枠４の内部４０に硬化前のシリコーン樹脂２０を充填する。
【００４２】
撤去工程では、図１０（ａ）に示すように、型枠４の内部４０に充填されたシリコーン樹脂２０を硬化させる。このとき、撤去工程では、必要に応じて、硬化させたシリコーン樹脂２０の上面２２に透明性樹脂塗料３を塗布する。撤去工程では、次に、図１０（ｂ）に示すように、型枠４の内面４１に型枠剥離テープ５を貼付させたままの状態で、型枠剥離テープ５を塗装剥離テープ６から剥離しながら型枠４を撤去する。
【００４３】
このとき、撤去工程では、型枠４の内面４１に透明性樹脂塗料３が塗布された状態で、型枠４の内部４０に充填されたシリコーン樹脂２０を硬化させることで、塗装剥離テープ６に塗布された透明性樹脂塗料３が硬化させたシリコーン樹脂２０の外面２１に一体化する。そして、撤去工程では、型枠剥離テープ５を塗装剥離テープ６から剥離しながら型枠４を撤去することで、硬化させたシリコーン樹脂２０の外面２１に透明性樹脂塗料３が塗布された状態で、透明性樹脂塗料３が塗装剥離テープ６で被覆された透明性封止体２が設けられる。
【００４４】
撤去工程では、最後に、図１０（ｃ）に示すように、シリコーン樹脂２０の外面２１に塗布された状態となった透明性樹脂塗料３から塗装剥離テープ６を剥離して、シリコーン樹脂２０の外面２１に透明性樹脂塗料３のみが残されるものとする。そして、撤去工程では、シリコーン樹脂２０の外面２１に透明性樹脂塗料３のみが残されて、図１１に示すように、支承７１等の構造部材７を取り囲むように透明性封止体２が設けられるものとなる。
【００４５】
本発明を適用した封止構造１は、透明性を有する透明性樹脂塗料３が、長期的な透明性を有するシリコーン樹脂２０の外面２１に塗布された状態で、構造部材７を取り囲むように透明性封止体２が設けられる。これにより、本発明を適用した封止構造１は、支承７１等の構造部材７の雨水等による腐食状況等を長期的に目視確認できるものとして、透明性封止体２で防食される構造部材７の長期的な視認性を確保することが可能となる。
【００４６】
また、本発明を適用した封止構造１は、図７に示すように、シリコーン樹脂２０が所定の伸び率を有するとともに、透明性樹脂塗料３が伸縮性を有することで、供用時における構造部材７の変位Ｈに追従してシリコーン樹脂２０が変形できるものとなる。これにより、本発明を適用した封止構造１は、シリコーン樹脂２０を柔軟に変形させて供用時の構造部材７の変位Ｈに追従させることで、透明性封止体２で構造部材７が取り囲まれた状態を長期的に維持して、長期的な防食効果を実現することが可能となる。なお、本発明を適用した封止構造１は、透明性樹脂塗料３が伸縮性を有さない場合でも、シリコーン樹脂２０の外面２１を被覆する透明性樹脂塗料３に亀裂等を生じさせることで、構造部材７の変位Ｈに追従してシリコーン樹脂２０を変形させることができる。
【００４７】
本発明を適用した封止構造１は、特に、図４に示すように、構造部材７の周囲の型枠４が撤去された状態で、硬化させたシリコーン樹脂２０により透明性封止体２が設けられる。これにより、本発明を適用した封止構造１は、構造部材７を取り囲んだシリコーン樹脂２０の変形が型枠４により阻害されないものとして、シリコーン樹脂２０に柔軟な変形をさせることで、長期的かつ確実な防食効果を実現することが可能となる。
【００４８】
そして、本発明を適用した封止構造１は、構造部材７の周囲の型枠４が撤去された状態であっても、透明性封止体２に透明性樹脂塗料３が塗布されることで、透明性封止体２となるシリコーン樹脂２０の長期的な形状保持が可能となる。また、本発明を適用した封止構造１は、構造部材７の周囲の型枠４が撤去されることで、精度の高い型枠４の成形作業が要求されないことから、支承７１が設けられた橋梁８の狭隘部等における型枠４の成形作業を容易にして施工コストを抑制することが可能となる。
【００４９】
本発明を適用した封止構造１は、図５に示すように、粘着性の高いシリコーン樹脂２０の外面２１が透明性樹脂塗料３に被覆された状態となる。これにより、本発明を適用した封止構造１は、シリコーン樹脂２０の粘着性の高い外面２１に、埃、ゴミ及び虫等が付着することを防止して、構造部材７の長期的な視認性を確保することが可能となる。
【００５０】
本発明を適用した封止工法は、型枠４を組み立てるとともにシリコーン樹脂２０を充填する充填工程と、型枠４を撤去して透明性封止体２が設けられる撤去工程とを経ることで、透明性樹脂塗料３で被覆された透明性封止体２が構造部材７を取り囲んで設けられる。これにより、本発明を適用した封止工法は、構造部材７の長期的な視認性を確保しながら、構造部材７の長期的かつ確実な防食性能を実現することが可能となる。
【００５１】
本発明を適用した封止工法は、図９に示すように、型枠４の内部４０にシリコーン樹脂２０を充填する前の段階で、型枠４の内面４１の略全面に透明性樹脂塗料３が塗布される。これにより、本発明を適用した封止工法は、表面張力の低いシリコーン樹脂２０が型枠４の内部４０に充填されるにもかかわらず、型枠４の隙間が透明性樹脂塗料３で塞がれるため、型枠４の内部４０からのシリコーン樹脂２０の漏出を防止することが可能となる。
【００５２】
また、本発明を適用した封止工法は、図１０に示すように、型枠４の内面４１の略全面に透明性樹脂塗料３が塗布された状態で、型枠４の内部４０でシリコーン樹脂２０を硬化させることで、シリコーン樹脂２０の外面２１に透明性樹脂塗料３が一体化する。これにより、本発明を適用した封止工法は、硬化させたシリコーン樹脂２０の外面２１に透明性樹脂塗料３が略均一に塗布されるため、高品質な被覆状態を実現することが可能となる。
【００５３】
また、本発明を適用した封止工法は、図１０（ｂ）に示すように、型枠４の内面４１に型枠剥離テープ５を貼付させたままの状態で、型枠剥離テープ５を塗装剥離テープ６から剥離しながら型枠４を撤去するものとなる。これにより、本発明を適用した封止工法は、型枠剥離テープ５と塗装剥離テープ６との接着が必要以上に強固でなく、型枠剥離テープ５を塗装剥離テープ６から容易に剥離できるため、型枠４の撤去作業を容易に実施することが可能となる。
【００５４】
また、本発明を適用した封止工法は、図１０（ｃ）に示すように、シリコーン樹脂２０の外面２１の粘着性が高いのに対して、透明性樹脂塗料３の粘着性は高くないため、塗装剥離テープ６と透明性樹脂塗料３との接着が必要以上に強固でないものとなる。これにより、本発明を適用した封止工法は、型枠４又は型枠剥離テープ５を透明性樹脂塗料３から直接剥離する場合と比較して、塗装剥離テープ６を透明性樹脂塗料３から容易に剥離できるため、シリコーン樹脂２０の被覆作業を容易に実施することが可能となる。なお、透明性樹脂塗料３の耐候性は高いのに対して塗装剥離テープ６の耐候性は低いことから、透明性樹脂塗料３から塗装剥離テープ６を剥離した状態とすることが望ましいものとなる。
【００５５】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならない。
【符号の説明】
【００５６】
１      ：封止構造
２      ：透明性封止体
２０    ：シリコーン樹脂
２１    ：外面
２２    ：上面
３      ：透明性樹脂塗料
４      ：型枠
４０    ：内部
４１    ：内面
５      ：型枠剥離テープ
６      ：塗装剥離テープ
７      ：構造部材
７０    ：コンクリート
７１    ：支承
７２    ：橋桁
７３    ：鉄柱
７３ａ  ：基端部
８      ：橋梁
【図１】
2018009296.tif 000003
【図２】
2018009296.tif 000004
【図３】
2018009296.tif 000005
【図４】
2018009296.tif 000006
【図５】
2018009296.tif 000007
【図６】
2018009296.tif 000008
【図７】
2018009296.tif 000009
【図８】
2018009296.tif 000010
【図９】
2018009296.tif 000011
【図１０】
2018009296.tif 000012
【図１１】
2018009296.tif 000013